(57)【特許請求の範囲】
【請求項１】
通信端末からの入力をもとに動画を作成し、前記通信端末に係る再生装置に前記動画を提供する動画作成装置であって、
１以上の再生装置のそれぞれについて、該再生装置の種別を識別するための識別情報、及び該再生装置が対応する動画形式を特定するための設定情報を含むプロファイル情報をそれぞれ格納する格納手段と、
前記通信端末に係る再生装置を特定するための特定情報を該通信端末から受信する受信手段と、
前記受信手段により受信された特定情報と前記格納手段に格納されているプロファイル情報の識別情報とを比較して、前記格納手段に前記プロファイル情報が格納されている前記１以上の再生装置の中から前記通信端末に係る再生装置を推定する推定手段と、
前記推定手段により推定された前記再生装置の前記プロファイル情報と、前記受信手段により受信された前記特定情報とを用いて、前記通信端末に係る再生装置の前記プロファイル情報を作成し、前記格納手段へ格納するプロファイル情報作成手段と、
前記通信端末から動画作成指令を受信すると、前記通信端末に係る再生装置に関する情報を前記通信端末に送信する送信手段と、
前記送信手段により送信された前記情報の内、指定された再生装置に関する情報を受信すると、前記指定された再生装置の前記プロファイル情報の前記設定情報に基づき前記通信端末に係る再生装置の動画形式に対応する動画を提供する動画提供手段と、
を備えることを特徴とする動画作成装置。
【請求項２】
前記動画提供手段が、
前記通信端末から動画作成指令と、前記送信手段により送信された前記情報の内、指定された再生装置に関する情報とを受信すると、前記指定された再生装置のプロファイル情報の前記設定情報を用いて前記通信端末に係る再生装置の動画形式に対応する動画を生成する生成手段と、
前記生成手段により生成された動画を当該動画作成装置から取得するための参照情報を前記通信端末に送信する参照情報送信手段と、
前記参照情報に基づく前記通信端末に係る再生装置からのアクセスに応じて、前記生成手段により生成された動画を該再生装置に送信する動画送信手段と、
を含むことを特徴とする、請求項１に記載の動画作成装置。
【請求項３】
前記特定情報が、前記通信端末に係る再生装置の外観画像を含む画像情報であり、
前記プロファイル情報の前記識別情報が、該プロファイル情報に関連付けられる再生装置の外観の色情報及び形状情報を含み、
前記推定手段は、前記受信手段により受信された画像情報を解析して前記通信端末に係る再生装置の色情報及び形状情報を抽出し、これらの抽出した情報と前記格納手段に格納されている前記プロファイル情報の前記識別情報とを比較して、前記格納手段に前記プロファイル情報が格納されている前記１以上の再生装置の中から前記通信端末に係る再生装置を推定する、
ことを特徴とする、請求項１または２に記載の動画作成装置。
【請求項４】
通信端末からの入力をもとに動画を作成し、前記通信端末に係る再生装置に前記動画を提供する動画作成装置における動画作成方法であって、
前記通信端末に係る再生装置を特定するための特定情報を該通信端末から受信する受信ステップと、
１以上の再生装置のそれぞれについて、該再生装置の種別を識別するための識別情報、及び該再生装置が対応する動画形式を特定するための設定情報を含むプロファイル情報をそれぞれ格納する格納手段に格納されている前記プロファイル情報の前記識別情報と、前記受信ステップにおいて受信された前記特定情報とを比較して、前記格納手段に前記プロファイル情報が格納されている前記１以上の再生装置の中から前記通信端末に係る再生装置を推定する推定ステップと、
前記推定ステップにおいて推定された前記再生装置の前記プロファイル情報と、前記受信ステップにおいて受信された前記特定情報とを用いて、前記通信端末に係る再生装置の前記プロファイル情報を作成し、前記格納手段へ格納するプロファイル情報作成ステップと、
前記通信端末から動画作成指令を受信すると、前記通信端末に係る再生装置に関する情報を前記通信端末に送信する送信ステップと、
前記送信ステップにおいて送信された前記情報の内、指定された再生装置に関する情報を受信すると、前記指定された再生装置の前記プロファイル情報の前記設定情報に基づき前記通信端末に係る再生装置の動画形式に対応する動画を提供する動画提供ステップと、
を備えることを特徴とする動画作成方法。
【請求項５】
前記動画提供ステップが、
前記通信端末から動画作成指令と、前記送信ステップにおいて送信された前記情報の内、指定された再生装置に関する情報とを受信すると、前記指定された再生装置のプロファイル情報の前記設定情報を用いて前記通信端末に係る再生装置の動画形式に対応する動画を生成する生成ステップと、
前記生成ステップにおいて生成された動画を当該動画作成装置から取得するための参照情報を前記通信端末に送信する参照情報送信ステップと、
前記参照情報に基づく前記通信端末に係る再生装置からのアクセスに応じて、前記生成ステップにおいて生成された動画を該再生装置に送信する動画送信ステップと、
を含むことを特徴とする、請求項４に記載の動画作成方法。
【発明の詳細な説明】
【技術分野】
【０００１】
本発明は、動画作成装置及び動画作成方法に関する。
【背景技術】
【０００２】
ユーザが画像や動画をサーバにアップロードし、多数のユーザで共有するサービスが存在する。このようなサービスでは、アップロードされた動画はパーソナルコンピュータや携帯端末などの通信端末で再生・視聴することができる場合が多い。例えば、特許文献１には、携帯電話からの要求に応じて、動画ファイルを携帯電話で視聴可能な形式に変換して送信する動画送信装置が記載されている。
【先行技術文献】
【特許文献】
【０００３】
【特許文献１】特開２００８−２２８１２２号公報
【発明の概要】
【発明が解決しようとする課題】
【０００４】
一般的に動画の形式は標準化されたものだけでも複数存在し、動画を再生するデバイスは、自身のハードウェアおよびソフトウェア仕様に見合った動画形式の再生に対応するように設計されている。また、近年では、特許文献１に記載の携帯電話やパーソナルコンピュータだけでなく、テレビやデジタルフォトフレームなどのデバイスでも動画を視聴することが可能となっており、動画を再生するデバイスの種類の多様化が進んでいる。
【０００５】
したがって、特許文献１に記載されるような動画視聴サービスにおいて、動画を再生するデバイスとして、携帯電話やパーソナルコンピュータなどの高機能なものから、デジタルフォトフレームなどの低機能なものまで幅広い種類に対応可能とするために、ひとつの動画を共有する際に、複数の動画形式を提供できるようにすることが好ましい。
【０００６】
しかし、対応可能なデバイスや動画形式が増大すると、ユーザの指定する動画再生用のデバイスを登録する処理や、個々のデバイスに適合した動画形式を設定する処理などが非常に煩雑となり、ユーザにとって負担となることが考えられる。動画を作成する装置が、ユーザの手を煩わせることなく、ユーザの指定するデバイスを自動的に認識することができ、また、その認識したデバイスがどの動画形式に対応しているのかを自動的に決定できることが望ましい。
【０００７】
本発明は、上記の問題を解決するためになされたものであり、様々なデバイス（再生装置）にそれぞれ対応する動画を簡便に作成することができる動画作成装置及び動画作成方法を提供することを目的とする。
【課題を解決するための手段】
【０００８】
上述課題を解決するために、本発明に係る動画作成装置は、通信端末からの入力をもとに動画を作成し、前記通信端末に係る再生装置に前記動画を提供する動画作成装置であって、１以上の再生装置のそれぞれについて、該再生装置の種別を識別するための識別情報、及び該再生装置が対応する動画形式を特定するための設定情報を含むプロファイル情報をそれぞれ格納する格納手段と、通信端末に係る再生装置を特定するための特定情報を該通信端末から受信する受信手段と、受信手段により受信された特定情報と格納手段に格納されているプロファイル情報の識別情報とを比較して、格納手段にプロファイル情報が格納されている１以上の再生装置の中から通信端末に係る再生装置を推定する推定手段と、推定手段により推定された再生装置のプロファイル情報と、受信手段により受信された特定情報とを用いて、通信端末に係る再生装置のプロファイル情報を作成し、格納手段へ格納するプロファイル情報作成手段と、通信端末から動画作成指令を受信すると、通信端末に係る再生装置に関する情報を通信端末に送信する送信手段と、送信手段により送信された情報の内、指定された再生装置に関する情報を受信すると、指定された再生装置のプロファイル情報の設定情報に基づき通信端末に係る再生装置の動画形式に対応する動画を提供する動画提供手段と、備えることを特徴とする。
【０００９】
同様に、上記課題を解決するため、本発明に係る動画作成方法は、通信端末からの入力をもとに動画を作成し、通信端末に係る再生装置に前記動画を提供する動画作成装置における動画作成方法であって、通信端末に係る再生装置を特定するための特定情報を該通信端末から受信する受信ステップと、１以上の再生装置のそれぞれについて、該再生装置の種別を識別するための識別情報、及び該再生装置が対応する動画形式を特定するための設定情報を含むプロファイル情報をそれぞれ格納する格納手段に格納されているプロファイル情報の識別情報と、受信ステップにおいて受信された特定情報とを比較して、格納手段にプロファイル情報が格納されている１以上の再生装置の中から通信端末に係る再生装置を推定する推定ステップと、推定ステップにおいて推定された再生装置のプロファイル情報と、受信ステップにおいて受信された特定情報とを用いて、通信端末に係る再生装置のプロファイル情報を作成し、格納手段へ格納するプロファイル情報作成ステップと、通信端末から動画作成指令を受信すると、通信端末に係る再生装置に関する情報を通信端末に送信する送信ステップと、送信ステップにおいて送信された情報の内、指定された再生装置に関する情報を受信すると、指定された再生装置のプロファイル情報の設定情報に基づき通信端末に係る再生装置の動画形式に対応する動画を提供する動画提供ステップと、を備えることを特徴とする。
【００１０】
このような動画作成装置及び動画作成方法によれば、通信端末に係る再生装置を特定するための特定情報を通信端末から受信すると、この特定情報と格納手段に格納されているプロファイル情報の識別情報とを比較して、格納手段にプロファイル情報が格納されている１以上の再生装置の中から通信端末に係る再生装置が推定される。これにより、通信端末から提供される特定情報に基づき格納手段に記憶されている１以上の再生装置から所望の再生装置を絞り込むことが可能となり、この結果、通信端末のユーザの指定する再生装置を自動的に認識することができる。また、推定された再生装置のプロファイル情報と、通信端末から受信し特定情報とを用いて、通信端末に係る再生装置のプロファイル情報が作成され、格納手段へ格納される。これにより、通信端末のユーザの指定する再生装置として認識された再生装置のプロファイル情報（特に設定情報）を利用して、通信端末のユーザの指定する再生装置のプロファイル情報が新たに作成されるので、通信端末のユーザの指定する再生装置がどの動画形式に対応しているのかを自動的に決定できる。したがって、様々な再生装置にそれぞれ対応する動画を簡便に作成することができる。
【００１１】
また、本発明に係る動画作成装置において、前記動画提供手段が、通信端末から動画作成指令と、送信手段により送信された情報の内、指定された再生装置に関する情報とを受信すると、指定された再生装置のプロファイル情報の設定情報を用いて通信端末に係る再生装置の動画形式に対応する動画を生成する生成手段と、生成手段により生成された動画を当該動画作成装置から取得するための参照情報を通信端末に送信する参照情報送信手段と、参照情報に基づく通信端末に係る再生装置からのアクセスに応じて、生成手段により生成された動画を該再生装置に送信する動画送信手段と、を含むことが好適である。
【００１２】
同様に、本発明に係る動画作成方法において、動画提供ステップが、通信端末から動画作成指令と、送信ステップにおいて送信された情報の内、指定された再生装置に関する情報とを受信すると、指定された再生装置のプロファイル情報の設定情報を用いて通信端末に係る再生装置の動画形式に対応する動画を生成する生成ステップと、生成ステップにおいて生成された動画を当該動画作成装置から取得するための参照情報を通信端末に送信する参照情報送信ステップと、参照情報に基づく通信端末に係る再生装置からのアクセスに応じて、生成ステップにおいて生成された動画を該再生装置に送信する動画送信ステップと、を含むことが好適である。
【００１３】
このような構成によれば、通信端末から動画作成指令と、通信端末に係る再生装置と推定された再生装置に関する情報とを受信すると、この情報が含まれるプロファイル情報の設定情報を用いて通信端末に係る再生装置に適した動画が生成される。これにより、通信端末のユーザが指定する再生装置に対応する動画形式を自動的に決定して再生装置に適した動画を生成することが可能となる。したがって、様々な再生装置にそれぞれ対応する動画を簡便に作成することができる。さらに、動画生成に応じて通信端末に送信される参照情報に基づく再生装置からのアクセスに応じて、生成された動画が再生装置に送信される。これにより、１台の通信端末により複数の再生装置向けの動画を生成することが可能となり、利便性が向上する。
【００１４】
また、本発明に係る動画作成装置において、特定情報が、通信端末に係る再生装置の外観画像を含む画像情報であり、プロファイル情報の識別情報が、該プロファイル情報に関連付けられる再生装置の外観の色情報及び形状情報を含み、推定手段は、受信手段により受信された画像情報を解析して通信端末に係る再生装置の色情報及び形状情報を抽出し、これらの抽出した情報と格納手段に格納されているプロファイル情報の識別情報とを比較して、格納手段にプロファイル情報が格納されている１以上の再生装置の中から通信端末に係る再生装置を推定する、ことが好適である。
【発明の効果】
【００１５】
本発明に係る動画作成装置及び動画作成方法によれば、様々な再生装置にそれぞれ対応する動画を簡便に作成することができる。
【図面の簡単な説明】
【００１６】
【図１】本発明の一実施形態に係る動画作成装置２を含む動画作成システム１の全体構成を示す機能ブロック図である。
【図２】プロファイル情報２１１の記述内容の一例を示す図である。
【図３】動画作成ファイル２１２の記述内容の一例を示す図である。
【図４】動画作成ファイル管理部２６による、作成済み動画の動画作成ファイル２１２−１を利用して、再生装置向けの動画作成ファイル２１２−２を生成する処理を説明する図である。
【図５】動画作成装置２のハードウェア構成図である。
【図６】動画作成システム１において実行される携帯端末３に係る再生装置４の推定・登録処理を示すフローチャートである。
【図７】図６に示す処理における携帯端末３の表示部３３に表示される画面の一例を示す図である。
【図８】動画作成システム１において実行される動画作成処理を示すフローチャートである。
【図９】図８に示す処理における携帯端末３の表示部３３に表示される画面の一例を示す図である。
【図１０】動画作成システム１において実行される動画作成処理を示すフローチャートである。
【図１１】図１０に示す処理における携帯端末３の表示部３３に表示される画面の一例を示す図である。
【発明を実施するための形態】
【００１７】
以下、図面を参照しながら本発明の実施形態を詳細に説明する。なお、図面の説明において同一又は同等の要素には同一の符号を付し、重複する説明を省略する。
【００１８】
図１は、本発明の一実施形態に係る動画作成装置２を含む動画作成システム１の全体構成を示す機能ブロック図である。図１に示すように、動画作成システム１は、携帯端末（通信端末）３からの入力をもとに動画を作成し、この携帯端末３に係る再生装置４に作成した提供する動画作成装置２と、動画作成装置２へユーザの入力情報やデータの通信を行う携帯端末３と、動画作成装置２が作成した動画を再生・視聴するための再生装置４とを含んで構成される。なお、携帯端末３及び再生装置４は、図１には便宜上１台ずつしか明記されていないが、実際には１台以上が動画作成装置２と通信可能に接続することが可能である。
【００１９】
ここで、動画作成装置２が作成し、再生装置４に提供する「動画」とは、例えば、静止画や動画などの画像コンテンツを繋ぎ合わせ、さらにフェード等のエフェクトや音楽を付与したスライドショー等である。
【００２０】
本実施形態では、「ユーザの指定する動画再生用の再生装置４を登録する処理」としては、動画作成装置２が、携帯端末３から再生装置４に関する特定情報を取得して、この特定情報に基づき、自身のデータベースから携帯端末３のユーザが指定する再生装置４を絞り込んで推定し、この携帯端末３に係る再生装置４として登録する。「特定情報」とは、再生装置４の種別を特定する手掛かりとなる情報であればよく、本実施形態では、この特定情報は、携帯端末３のカメラで撮影した再生装置４の外観の画像情報である。そして、この画像情報を解析して再生装置の形状や色を抽出し、再生装置の種別を推定する。
【００２１】
また、本実施形態では、「個々の再生装置４に適合した動画形式を自動的に設定する処理」としては、動画作成装置２のデータベースに登録されている再生装置４ごとに関連付けられて用意される、動画形式を定義する設定情報などを含むプロファイル情報を利用する。携帯端末３から動画作成指令を行う際に、ユーザが動画を再生したい再生装置４を指定すると、動画作成装置２は、この指定された再生装置４のプロファイル情報に記述される動画形式に基づき、この再生装置４に適した動画を提供する。
【００２２】
携帯端末（通信端末）３は、携帯電話、ＰＤＡ（Personal Digital Assistant：個人情報端末）、パーソナルコンピュータなど、通信機能を有する装置を含むものである。再生装置４は、テレビ、デジタルフォトフレーム、コンピュータディスプレイ、携帯端末３など通信機能及び動画再生機能を有する装置を含むものである。
【００２３】
動画作成装置２は、記憶部（格納手段）２１、通信部（受信手段、送信手段）２２、画面生成部２３、再生装置推定部（推定手段）２４、プロファイル情報管理部（プロファイル情報作成手段）２５、動画作成ファイル管理部（生成手段、動画提供手段）２６、動画作成部（生成手段、動画提供手段）２７、及び動画管理部（参照情報送信手段、動画送信手段、動画提供手段）２８を含んで構成される。
【００２４】
記憶部２１は、動画作成に関する各種情報を格納するデータベースである。より詳細には、動画作成に用いる画像、動画、音楽データ、作成済み動画とその「動画作成ファイル」２１２、及び様々な種類の再生装置の「プロファイル情報」２１１が保存されている。記憶部２１は、動画作成装置２内の各部からの要求に応じて、これらの情報の読み込みや書き込みを許可する。
【００２５】
ここで、「プロファイル情報」２１１とは、再生装置４の属性が記述されたファイルであって、１以上の再生装置４のそれぞれについて個別に用意される。プロファイル情報は、後述する再生装置推定部２４により再生装置の推定に利用され、また、動画作成部２７により動画の作成に利用される。
【００２６】
図２にプロファイル情報２１１の記述内容の一例を示す。図２を参照してプロファイル情報２１１の記述内容を説明すると、プロファイル情報２１１は、再生装置４の種別を識別するための識別情報（図２のdevice_specification）、及びこの再生装置４が対応している動画の形式を特定するための設定情報（図２のmovie_player_info）を含む。識別情報には、再生装置４の製造元（company）、種類（デジタルフォトフレーム、テレビなど）（device_type）、製造日（date）、さらに図２には示さないが色、形、製品名などが記載される。設定情報には、再生装置４が対応している動画の解像度（ＶＧＡ、ＱＶＧＡなど）（supported_resolytion）、ビットレート（supported_bit_rate）、フレームレート（supported_frame_rate）、最大ファイルサイズ、さらに図２には示さないがフォーマット（３ＧＰＰ、ＦＬＶなど）が記載される。なお、図２には示していないが、携帯端末３により新たに再生装置４の登録処理が行われ、この再生装置４のプロファイル情報が作成された場合には、登録処理を依頼した携帯端末３を特定するための識別情報（例えばＵＩＤやパスワードなど）がプロファイル情報に記述される。
【００２７】
「動画作成ファイル」２１２とは、画像、動画、音楽データなどから一つの動画データを作成する際に必要な情報が記述されたファイルである。動画作成ファイル２１２は、後述する動画作成部２７により動画の作成に利用される。図３に動画作成ファイル２１２の記述内容の一例を示す。動画作成ファイル２１２は、具体的には、フォーマット(図３のformat)、フレームレート（frame_rate）、解像度（resolution）、ビットレート（bit_rate）など作成する動画の各種設定情報、作成する動画に使用する画像・動画のファイルパスや再生順（図３のsource）、動画に使用するエフェクト（effect_theme）や音楽（music）などが記載されている。この動画作成ファイル２１２は、動画作成後は作成した動画と関連付けられて管理され、この動画作成ファイルを再編集することにより、関連付けられた動画を動画作成部２７により再編集することができる。
【００２８】
通信部２２は、ネットワークＮに接続されており、携帯端末３及び再生装置４と通信を行う。動画作成装置２内の各部からの要求、または携帯端末及び再生装置４からの要求に応じて通信機能を提供する。本実施形態では、通信部２２は、携帯端末３に係る再生装置４の外観画像である画像情報（特定情報）を携帯端末３から受信する機能、再生装置推定部２４により推定された再生装置４に関する情報を携帯端末３に送信する機能、動画作成部２７により生成された動画を動画作成装置２から取得するためのＵＲＬ（参照情報）を携帯端末３に送信する機能、ＵＲＬに基づく携帯端末３に係る再生装置４からのアクセスに応じて、動画作成部２７により生成された動画を再生装置４に送信する機能を備える。
【００２９】
画面生成部２３は、再生装置４の登録処理や動画作成処理に関して、携帯端末３に表示するための画面を生成する。
【００３０】
再生装置推定部２４は、通信部２２により携帯端末３から受信された再生装置４の特定情報と記憶部２１に格納されているプロファイル情報２１１の識別情報とを比較して、記憶部２１にプロファイル情報２１１が格納されている１以上の再生装置の中から携帯端末３に係る再生装置４を推定する。より詳細には、携帯端末３から受信した、携帯端末３に係る再生装置４の外観画像を含む画像情報を解析して、色情報及び形状情報を抽出し、記憶部２１に登録されているプロファイル情報２１１の識別情報と、画像情報から抽出した色・形状情報とを比較して、撮影された再生装置の推定を行う。また、再生装置推定部２４は、推定結果として、複数の再生装置を出力することができ、ユーザが入力する補助情報（製品元メーカー、や年式などの絞込条件）と組み合わせて、推定結果の絞込みを行う。
【００３１】
プロファイル情報管理部２５は、再生装置推定部２４が推定に用いるプロファイル情報２１１を記憶部２１に対して登録・削除・修正を行う。また、再生装置推定部２４により推定された再生装置のプロファイル情報２１１と、受信手段により受信された画像情報、携帯端末３の識別情報（ＵＩＤ、パスワードなど）とを用いて、携帯端末３に係る再生装置４のプロファイル情報２１１を作成し、記憶部２１へ登録する。
【００３２】
動画作成ファイル管理部２６は、記憶部２１に対して動画作成ファイル２１２の登録・削除・修正を行う。より詳細には、携帯端末３からの動画作成指令に応じて、動画を再生するデバイスとして指定された再生装置４向けに動画を作成するための動画作成ファイル２１２を生成し、記憶部２１に登録する。ここで、「動画作成指令」とは、携帯端末３が、所望の再生装置４で再生可能な形式で動画を作成する旨を動画作成装置２に送信するためのコマンドであり、動画作成に使用する画像、動画、音楽データ、エフェクト、再生装置４の識別情報などを含むものである。
【００３３】
また、動画作成ファイル管理部２６は、携帯端末３からの動画作成指令が、すでに携帯端末３向けに作成されている動画から再生装置４向けに動画形式を変換する内容である場合、作成済み動画の動画作成ファイル２１２−１を読み込み、再生装置４向けの動画作成ファイル２１２−２を生成し、記憶部２１に登録する。この機能を図４を用いて説明すると、携帯向けの動画作成ファイル２１２−１の各種設定情報（図４の符号ａ）を、再生装置４のプロファイル情報２１１の設定情報（図４の符号ｂ）に置き換えて、当該再生装置４向けの動画作成ファイル２１２−２を作成する。
【００３４】
動画作成部２７は、記憶部２１から動画作成ファイル２１２を読み込み、動画作成ファイル２１２の指定どおりに動画を生成し、記憶部２１に登録する。より詳細には、携帯端末３から動画作成指令の受信に応じて作成された動画作成ファイルの記述内容にしたがって、携帯端末３に係る再生装置４に適した動画を生成する。
【００３５】
動画管理部２８は、携帯端末３からの要求に従い、再生装置４で再生する動画のダウンロード用ＵＲＬの発行およびダウンロード要求の管理を行う。ＵＲＬは有効期限、アクセス回数、認証を設定することが出来ても良い。より詳細には、動画管理部２８は、動画作成部２７により生成された動画を当該動画作成装置２から取得するためのＵＲＬ（参照情報）を携帯端末３に送信する機能と、ＵＲＬに基づく携帯端末３に係る再生装置４からのアクセスに応じて、動画作成部２７により生成された動画を再生装置４に送信する機能とを備える。
【００３６】
動画作成装置２は、物理的には、図５に示すように、ＣＰＵ（CentralProcessing Unit）２０１、ＲＡＭ（Random Access Memory）２０２及びＲＯＭ（Read Only Memory）２０３、ハードディスク装置等の補助記憶装置２０４、入力デバイスである入力キー等の入力装置２０５、ディスプレイ等の出力装置２０６、携帯端末３や再生装置４との間でデータの送受信を行うためのネットワークカード等の通信モジュール２０７などを有するコンピュータとして構成されている。図１に示す動画作成装置２の各機能は、ＣＰＵ２０１、ＲＡＭ２０２、ＲＯＭ２０３等のハードウェア上に所定のコンピュータソフトウェアを読み込ませることにより、ＣＰＵ２０１の制御のもとで入力装置２０５、出力装置２０６、通信モジュール２０７を動作させるとともに、ＲＡＭ２０２やＲＯＭ２０３、補助記憶装置２０４におけるデータの読み出し及び書き込みを行うことで実現される。なお、再生装置４も、動画作成装置２と同様のハードウェア構成をとるのが好ましい。
【００３７】
携帯端末３は、通信部３１、カメラ部３２、表示部３３、入力部３４、記憶部３５から構成される。
【００３８】
通信部３１は、ネットワークＮに接続され、この通信部３１を介して携帯端末内の各機能部は、動画作成装置２および再生装置４と通信を行うことができる。カメラ部３２は、再生装置４を撮影し、記憶部３５へ保存する機能を具備する。表示部３３は、動画作成装置２の画面生成部２３が生成する画面情報を表示する。入力部３４は、ユーザからボタン等の入力操作を受け付け、カメラ操作、画面操作を行う。記憶部３５は、各部からの要求に従い、書き込み、読み込みを受け付ける。
【００３９】
携帯端末３は、物理的には、ＣＰＵ、主記憶装置であるＲＡＭ及びＲＯＭ、入力デバイスである入力キー等の操作部、ディスプレイ、無線通信部などを有する端末装置として構成されている。図１に示した携帯端末３の各機能は、ＣＰＵ、ＲＡＭ等のハードウェア上に所定のコンピュータソフトウェアを読み込ませることにより、ＣＰＵの制御のもとで操作部、ディスプレイ、無線通信部を動作させるとともに、ＲＡＭやＲＯＭにおけるデータの読み出し及び書き込みを行うことで実現される。
【００４０】
再生装置４は、通信部４１、表示部４２、入力部４３、動画再生部４４、記憶部４５から構成される。
【００４１】
通信部４１は、ネットワークに接続され、この通信部４１を介して再生装置４内の各機能部は、動画作成装置２および携帯端末３と通信を行う。表示部４２は、動画再生部４４が再生するデータを画面へ表示する。入力部４３は、ユーザからボタン等の入力操作を受け付け、動画のダウンロード時の設定等の入力を行う。動画再生部４４は、入力部４３により取得指令が入力された動画のダウンロードおよびダウンロードした動画の再生処理を行う。記憶部４５は、ダウンロードした動画を保存する。
【００４２】
次に、図６〜１１を参照して、本実施形態の動画作成システム１において実行される処理を説明すると共に、本実施形態に係る動画作成方法について説明する。
【００４３】
図６は、動画作成システム１において実行される携帯端末３に係る再生装置４の推定・登録処理を示すフローチャートである。また、図７は、この処理における携帯端末３の表示部３３に表示される画面の一例を示す図である。
【００４４】
まず、携帯端末３において、携帯端末３のユーザが新たに登録したい再生装置４について、携帯端末３のカメラ部３２によりこの再生装置４の外観が撮影され、撮影された画像が記憶部３５へ保存される（Ｓ１０１）。さらに、入力部３４によりユーザの操作入力が検知されると、この操作入力に応じて、通信部３１により、記憶部３５に保存されている再生装置４の画像が、動画作成装置２の再生装置推定部２４へ向けて送信される（Ｓ１０２）。ステップＳ１０２において携帯端末３の表示部３３に表示される画面例を図７（ａ）に示す。
【００４５】
次に、動画作成装置２において、通信部２２により携帯端末３から再生装置４の画像情報が受信されると、この画像情報が再生装置推定部２４に送信され、再生装置推定部２４により、受信した画像と記憶部に保存されているプロファイル情報とが比較され、再生装置の候補が画面生成部２３に出力される（Ｓ１０３：受信ステップ、推定ステップ）。プロファイル情報には、再生装置４の色、形などの特徴が記述されており、再生装置推定部２４は、携帯端末３から受信した画像情報からこれらの特徴（色、形など）を抽出し、これらの抽出した特徴とプロファイル情報に記述されている特徴とを比較し、項目がひとつでも一致すれば、携帯端末３に係る再生装置４の候補として扱う。
【００４６】
次に、画面生成部２３により、再生装置推定部２４から受信した携帯端末３に係る再生装置４の候補が複数存在するか否かが確認される（Ｓ１０４）。再生装置４の候補が複数存在する場合には、ステップＳ１０５に移行し、候補が複数存在しない（すなわち候補が１つのみ存在する）場合には、ステップＳ１０８に移行する。
【００４７】
ステップＳ１０４において再生装置の候補が複数存在する場合、画面生成部２３により、再生装置候補と絞込み条件入力フォームから構成される画面が生成される（Ｓ１０５）。絞込条件は、製造元メーカーや年式などの製品に関する情報から構成される。ステップＳ１０５において作成された画面は、通信部２２を介して携帯端末３に送信される。
【００４８】
次に、携帯端末３において、動画作成装置２から送信されたステップＳ１０５において作成された画面が表示部に３３に表示され、携帯端末３の入力部を介したユーザの入力操作により絞込条件が選択される（Ｓ１０６）。ステップＳ１０６において携帯端末３の表示部３３に表示される画面例を図７（ｂ）に示す。選択された絞り込み条件は、通信部３１を介して動画作成装置２に送信される。
【００４９】
動画作成装置２において、再生装置推定部２４により、携帯端末３から受信した絞込条件を基に推定処理が行われ、複数の候補の中から再生装置候補が再度選択される（Ｓ１０７）。
【００５０】
ステップＳ１０７において再生装置候補が再度選択された場合、または、ステップＳ１０４において再生装置の候補が１つのみ存在する場合、画面生成部２３により、再生装置候補の情報で構成される画面が生成される。この画面が通信部２２を介して携帯端末３に送信される。携帯端末３において、動画作成装置２から送信された画面が表示部に３３に表示され、携帯端末３のユーザの入力操作により、ユーザが新たに登録したい携帯端末３に係る再生装置４の選択が行われる（Ｓ１０８）。選択された再生装置４の情報は、携帯端末の識別情報（ＵＩＤ、パスワードなど）と共に携帯端末３から動画作成装置２へ送信される。
【００５１】
次に、動画作成装置２において、プロファイル情報管理部２５により、ステップＳ１０８で選択された再生装置４のプロファイル情報が、記憶部２１から読み取られる（Ｓ１０９）。さらに、プロファイル情報管理部２５により、記憶部２１から読み込んだプロファイル情報と、ステップＳ１０３において携帯端末３から受信した画像情報と、ステップＳ１０８で携帯端末３から受信した携帯端末３の識別情報とを用いて、携帯端末３のユーザが登録を希望している再生装置４用のプロファイル情報が作成される（Ｓ１１０：プロファイル情報作成ステップ）。作成されたプロファイル情報は通信部２２を介して携帯端末３に送信される。
【００５２】
携帯端末３において、動画作成装置２から送信されたステップＳ１１１において作成されたプロファイル情報と、このプロファイル情報に名称を促す画面が表示部３３に表示され、携帯端末３の入力部を介したユーザの入力操作によりプロファイル情報の画面表示用の名称が入力される（Ｓ１１１）。ステップＳ１１１において携帯端末３の表示部３３に表示される画面例を図７（ｃ）に示す。入力された名称は、通信部３１を介して動画作成装置２に送信される。
【００５３】
そして、動画作成装置２において、プロファイル情報管理部２５により、入力された名称のテキスト情報が、携帯端末３に係る再生装置４用のプロファイル情報の表示名称として、記憶部２１に保存される（Ｓ１１２）。
【００５４】
図８は、動画作成システム１において実行される動画作成処理を示すフローチャートである。この処理は、既に作成済みの携帯端末３用の動画を流用して再生装置４用の動画が作成されるときに実行される。また、図９は、この処理における携帯端末３の表示部３３に表示される画面の一例を示す図である。
【００５５】
まず、携帯端末３において、入力部３４を介したユーザの操作入力により、携帯端末３向け動画の動画作成ファイルが指定される（Ｓ２０１）。この動画作成ファイルは、動画と紐付けて動画作成装置２の記憶部２１に格納されており、動画作成ファイル管理部２６により管理されている。ステップＳ２０１において携帯端末３の表示部３３にブラウザ表示される画面例を図９（ａ）に示す。ステップＳ２０１で指定された動画作成ファイルの情報は、携帯端末３の識別情報（ＵＩＤ，パスワードなど）と共に動画作成指令として通信部３１を介して動画作成装置２に送信される。
【００５６】
引き続き、携帯端末３のユーザがこの動画を再生したい再生装置４の名称が指定される（Ｓ２０２：送信ステップ）。ステップＳ２０２において携帯端末３の表示部３３にブラウザ表示される画面例を図９（ｂ）に示す。このとき、ステップＳ２０１で動画作成装置２に送信した携帯端末の識別情報に基づき、この携帯端末の識別情報が記述されるプロファイル情報をもつ再生装置のみを表示部３３に表示するのが好ましい。ステップＳ２０２で指定された再生装置４の情報は、通信部３１を介して動画作成装置２に送信される。
【００５７】
次に、動画作成装置２において、動画作成ファイル管理部２６により、携帯端末３により指定された動画作成ファイル及び再生装置４の情報から、再生装置４向け動画の動画作成ファイルが生成される（Ｓ２０３）。具体的には、図４に示すように、記憶部２１に既存の携帯端末３用の動画作成ファイル２１２−１の設定情報（図４の符号ａ）を、ステップＳ２０２において指定された再生装置４のプロファイル情報２１１の設定情報（図４の符号ｂ）に置き換えて、この再生装置４用の動画作成ファイル２１２−２を新たに作成する。動画作成ファイル管理部２６は、新たに作成した動画作成ファイルを記憶部２１に格納すると共に、動画作成部２７に送信する。
【００５８】
次に、動画作成部２７により、動画作成ファイル管理部２６から受信した動画作成ファイルの内容に従って動画が作成され、作成された動画が記憶部２１に保存される（Ｓ２０４：生成ステップ）。作成された動画の情報は、併せて動画管理部２８に送信される。
【００５９】
そして、動画管理部２８により、動画作成部２７で作成された動画について、再生装置４がダウンロードするためのＵＲＬが発行される（Ｓ２０５：参照情報送信ステップ）。画面生成部２３は、動画管理部２８により発行されたＵＲＬを携帯端末３に表示するための画面を生成し、この画面が通信部２２を介して携帯端末３に送信される。
【００６０】
携帯端末３において、動画作成装置２から送信されたＵＲＬの画面が表示部３３に表示されると、携帯端末３のユーザによる入力操作によって再生装置４の入力部４３を介してＵＲＬが再生装置４に入力される。そして、再生装置４の動画再生部４４により、入力されたＵＲＬから動画がダウンロードされて再生され、表示部４２によりこの動画が表示される（Ｓ２０６：動画送信ステップ）。
【００６１】
図１０は、動画作成システム１において実行される動画作成処理を示すフローチャートである。この処理は、画像、動画、音楽データなどを利用して新たに再生装置４用の動画が作成されるときに実行される。また、図１１は、この処理における携帯端末３の表示部３３に表示される画面の一例を示す図である。
【００６２】
まず、携帯端末３において、入力部３４を介したユーザの操作入力により、動画作成に使用するために動画作成装置２にアップロードする画像または動画データが指定される（Ｓ３０１）。ステップＳ３０１において携帯端末３の表示部３３にブラウザ表示される画面例を図１１（ａ）に示す。なお、動画作成に使用する画像・動画データは、動画作成装置２の記憶部２１や、外部ストレージに保持されているものを指定してもよい。
【００６３】
次に、入力部３４を介したユーザの操作入力により、ステップＳ３０１で指定した画像・動画データの再生順序が指定される（Ｓ３０２）。ステップＳ３０２において携帯端末３の表示部３３にブラウザ表示される画面例を図１１（ｂ）に示す。
【００６４】
さらに、作成する動画に適用するエフェクトが選択される（Ｓ３０３）。ステップＳ３０３において携帯端末３の表示部３３にブラウザ表示される画面例を図１１（ｃ）に示す。
【００６５】
次に、作成する動画にＢＧＭとして使用する楽曲が選択される（Ｓ３０４）。ステップＳ３０４において携帯端末３の表示部３３にブラウザ表示される画面例を図１１（ｄ）に示す。ステップＳ３０１〜Ｓ３０４で指定された画像・動画データ、再生順序、エフェクト、及び楽曲の情報は、携帯端末３の識別情報（ＵＩＤ，パスワードなど）と共に動画作成指令として通信部３１を介して動画作成装置２に送信される。
【００６６】
引き続き、携帯端末３のユーザがこの動画を再生したい再生装置４の名称が指定される（Ｓ３０５：送信ステップ）。ステップＳ３０５において携帯端末３の表示部３３にブラウザ表示される画面例を図１１（ｅ）に示す。このとき、ステップＳ３０４で動画作成装置２に送信した携帯端末の識別情報に基づき、この携帯端末の識別情報が記述されるプロファイル情報をもつ再生装置のみを表示部３３に表示するのが好ましい。ステップＳ３０５で指定された再生装置４の情報は、通信部３１を介して動画作成装置２に送信される。
【００６７】
次に、動画作成装置２において、動画作成ファイル管理部２６により、携帯端末３により指定された画像・動画データ、再生順序、エフェクト、楽曲、及び再生装置４の情報から、再生装置４向け動画の動画作成ファイルが新たに生成される（Ｓ３０６）。動画作成ファイル管理部２６は、新たに作成した動画作成ファイルを記憶部２１に格納すると共に、動画作成部２７に送信する。
【００６８】
以下の処理ステップＳ３０７〜Ｓ３０９は、図８を参照して説明したステップＳ２０４〜Ｓ２０６と同一なので、説明を省略する。
【００６９】
このような動画作成システム１の動画作成装置２及び動画作成方法によれば、携帯端末３に係る再生装置４を特定するための外観画像を含む画像情報（特定情報）を携帯端末３から受信すると、再生装置推定部２４が、画像情報と、記憶部２１に格納されているプロファイル情報の識別情報とを比較して、記憶部２１にプロファイル情報が格納されている１以上の再生装置の中から携帯端末３に係る再生装置４を推定する。これにより、携帯端末３から提供される再生装置４の画像情報（特定情報）に基づき記憶部２１に記憶されている１以上の再生装置から所望の再生装置を絞り込むことが可能となり、この結果、携帯端末３のユーザの指定する再生装置４を自動的に認識することができる。また、推定された再生装置のプロファイル情報と、携帯端末３から受信した特定情報とを用いて、携帯端末３に係る再生装置４のプロファイル情報が作成され、記憶部２１へ格納される。これにより、携帯端末３のユーザの指定する再生装置４として認識された再生装置のプロファイル情報（特に設定情報）を利用して、携帯端末３のユーザの指定する再生装置４のプロファイル情報が新たに作成されるので、携帯端末３のユーザの指定する再生装置４がどの動画形式に対応しているのかを自動的に決定できる。したがって、様々な再生装置にそれぞれ対応する動画を簡便に作成することができる。
【００７０】
また、携帯端末３から動画作成指令と、携帯端末３に係る再生装置４と推定された再生装置に関する情報とを受信すると、動画作成ファイル管理部２６及び動画作成部２７が、この情報の含まれるプロファイル情報の設定情報を用いて携帯端末に係る再生装置に適した動画を生成する。これにより、携帯端末３のユーザが指定する再生装置４に対応する動画形式を自動的に決定して再生装置４に適した動画を生成することが可能となる。したがって、様々な再生装置にそれぞれ対応する動画を簡便に作成することができる。さらに、動画生成に応じて携帯端末３に送信されるＵＲＬに基づく再生装置４からのアクセスに応じて、生成された動画が再生装置４に送信される。これにより、１台の携帯端末により複数の再生装置向けの動画を生成することが可能となり、利便性が向上する。
【００７１】
以上、本発明に係る動画作成装置２及び動画作成方法について好適な実施形態を挙げて説明したが、本発明は上記実施形態に限られるものではない。上記実施形態では、特定情報の一例として再生装置４の外観画像を含む画像情報を挙げたが、再生装置４を特定しうる情報であればよく、例えば装置名やメーカー名などキーワードのテキスト情報などでもよい。
【符号の説明】
【００７２】
１…動画作成システム、２…動画作成装置、３…携帯端末（通信端末）、４…再生装置、２１…記憶部（格納手段）、２２…通信部（受信手段、送信手段）、２３…画面生成部、２４…再生装置推定部（推定手段）、２５…プロファイル情報管理部（プロファイル情報作成手段）、２６…動画作成ファイル管理部（生成手段、動画提供手段）、２７…動画作成部（生成手段、動画提供手段）、２８…動画管理部（参照情報送信手段、動画送信手段、動画提供手段）、２１１…プロファイル情報、２１２…動画作成ファイル。
【図１】
0005416599.tif 000002
【図２】
0005416599.tif 000003
【図３】
0005416599.tif 000004
【図４】
0005416599.tif 000005
【図５】
0005416599.tif 000006
【図６】
0005416599.tif 000007
【図７】
0005416599.tif 000008
【図８】
0005416599.tif 000009
【図９】
0005416599.tif 000010
【図１０】
0005416599.tif 000011
【図１１】
0005416599.tif 000012